(57)【特許請求の範囲】
【請求項１】
ペット洗浄ノズルを多数設けたペット全身の洗浄乾燥をするための洗浄乾燥室、洗浄のための温水を貯蔵する温水貯蔵タンク、温水循環配管と循環ポンプとエア抜きタンクから構成される循環洗浄設備、温風循環配管と送風機から構成される循環乾燥設備とを有するペット洗浄乾燥機において、温風循環配管から構成される循環乾燥設備に吸気設備と排気設備を設置して、吸気設備の吸気口とカーエアコンの吹出口とが接続されていることを特徴とするペット洗浄乾燥機。
【請求項２】
温風循環配管から構成される循環乾燥設備に吸気設備と排気設備を設置して、吸気設備の吸気口がカーエアコンの吹出口とが接続されていることを特徴とする請求項１に記載のペット洗浄乾燥機。
【請求項３】
ペット洗浄ノズルを多数設けたペット全身の洗浄乾燥をするための洗浄乾燥室、洗浄のための温水を貯蔵する温水貯蔵タンク、温水循環配管と循環ポンプとエア抜きタンクから構成される循環洗浄設備、温風循環配管と送風機から構成される循環乾燥設備とを有するペット洗浄乾燥機において、ペット洗浄乾燥機に電力を供給する電源コンセントが、２以上の並列の一般家庭用１００Ｖ電源コンセントＶ１、Ｖ２…Ｖｎからなる電源コンセントであって、夫々の一般家庭用１００Ｖ電源コンセントの最大電流が許容ブレーカー電流２０Ａ以下となるように構成されたことを特徴とする請求項２に記載のペット洗浄乾燥機。
ここに、ｎは２以上の自然数である。
【請求項４】
洗浄乾燥室の床面の下にエア抜きタンクを設置すると共に、レベルセンサーを用いてタンク水面をコントロールすることにより循環ポンプにエアが噛み込まないようにしたことを特徴とする請求項１〜３の何れかに記載のペット洗浄乾燥機。
【請求項５】
洗浄から乾燥までを全自動で行えるようにプログラム設定機能を設けたことを特徴とする請求項１〜４の何れかに記載のペット洗浄乾燥機。
【請求項６】
ペットの洗浄乾燥室を消毒洗浄する機能を設けたことを特徴とする請求項１〜５の何れかに記載のペット洗浄乾燥機。
【請求項７】
ペット洗浄乾燥機が車載されることを特徴とする請求項１〜６の何れかに記載のペット洗浄乾燥機。
【発明の詳細な説明】
【技術分野】
【０００１】
本発明はペットを装置内にセットするだけで、洗浄、乾燥を早く、効率的に行うことができるペット洗浄乾燥機に関する。
【背景技術】
【０００２】
従来、犬、猫等のペットを洗浄する場合には、例えば自宅横の庭先や車庫等においてホースと洗剤を用意し、洗っていた。その後、ドライヤーやブラシ、バスタオル等の乾燥器具を用いてぬれた状態のペットを乾燥していた。作業者が立ったままの楽な姿勢でペットの洗浄ができるペット洗浄乾燥機として、例えば特許文献１がある。
【０００３】
一方で、ペットの頭部以外の身体を収容して、洗浄後のペットの身体を乾燥させるためのペット乾燥機として、例えば特許文献２があり、当該文献には、乾燥室に排気設備を設ける点について記載されている。
【０００４】
また、ペットの全身を収容して、洗浄から乾燥までを行うペット洗浄乾燥装置としては、例えば特許文献３がある。当該文献には、ペット洗浄乾燥装置をコンピュータ制御する点や、循環ポンプ設備を設ける点、ペット洗浄後に洗浄室を消毒洗浄する点について記載されている。
【０００５】
しかしながら、上記請求項１〜請求項３記載の従来のペット洗浄乾燥機においては、次の問題がある。即ち、ペットの洗浄も手動であり、さらにはペットの乾燥も手動となる。ペットは大型、小型を問わず、動き廻る習性があり、特に体を水で濡らされ、水分を毛に含むと、それを取ろうとして、全身を振るわせる行動をする。その際には大量の水分や、抜けた毛が周囲に飛び散り、作業者は勿論のこと、周囲に非常な影響を及ぼす。
【０００６】
また、冬季の外気が低温の時期、雨や梅雨のような高湿の時期等（以下、単に悪条件下という。）では、乾燥時間が非常に長くなり、洗浄乾燥時間を、少しでも短縮することが望まれていた。
【０００７】
特に、ペット洗浄乾燥機を車載した場合（車載式ペット洗浄乾燥機ともいう。）において、ペット洗浄乾燥サービス顧客を一箇所に集めて、ペット洗浄の出張サービスを行う場合、悪条件下では、出張サービスを受ける顧客の順番待ちの時間が長くなり、ペット洗浄顧客からの苦情が来ることも多々有った。
【０００８】
かかる悪条件下であって、ペット洗浄顧客の順番待ちを少なくするためには、悪条件下における洗浄乾燥時間を、少しでも短縮することは非常に重要であった。
【０００９】
なお、特許文献２によれば、温水貯蔵タンクや循環ポンプ設備等の洗浄機能が設けられていないため、ペットの洗浄については手動で行う必要があり、洗浄時における従来の問題を解決することはできない。
【００１０】
特許文献３によれば、ペットの全身を収容して洗浄乾燥を行うことができるが、温風の全部又は一部を洗浄乾燥室から排気する設備が設けられていない。従って乾燥時に、送風機で室内の湿った空気を循環させるに留まり、乾燥能力が著しく悪く、また衛生的にも欠点があった。
【００１１】
また、特許文献３によれば、循環ポンプ設備が設けられているが、室内を消毒洗浄した後の水や排泄物等を含んだ汚水が、循環タンクを経由して、そこから排水される構造となっている。従って、汚水や排泄物等が、循環タンクや循環パイプを通過することとなり、ペットが皮膚病等の病気に感染するといった欠点があった。
【００１２】
さらに、特許文献３によれば、その構造上２００Ｖの電源コンセントが必要とされる仕様であるため、洗浄乾燥装置を設置できる場所が制限されるという欠点があった。日本では、まだ一般家庭用では、１００Ｖの電源コンセントが主流であり、１００Ｖ電源に対応したペット洗浄乾燥機が求められているからである。
【００１３】
【特許文献１】特開２００１−３４６４７１号
【特許文献２】特開２００２−６５０９４号
【特許文献３】欧州特許出願公開第８６１５９０号
【発明の開示】
【発明が解決しようとする課題】
【００１４】
上記のような、従来技術の欠点に鑑みて、発明が解決しようとする課題を以下のように設定した。
【００１５】
発明が解決しようとする課題は、冬季の外気が低温の時期、雨や梅雨のような高湿の時期等（以下、単に悪条件下という。）であっても、ペット洗浄乾燥機の洗浄乾燥時間を短縮することである。
【００１６】
発明が解決しようとする第１課題は、一般家庭用１００Ｖ電源コンセントのペット洗浄乾燥機において、悪条件下であっても、ペット洗浄乾燥機の洗浄乾燥時間を短縮することである。
【００１７】
発明が解決しようとする第２課題は、一般家庭用１００Ｖ電源コンセントのペット洗浄乾燥機において、悪条件下であっても、ペット洗浄乾燥機の洗浄乾燥時間のうち、意外に大きな割合を占めるペット洗浄乾燥機の乾燥時間を、大幅に短縮することである。
【００１８】
発明が解決しようとする第３課題について、以下説明する。
車載式のペット洗浄乾燥機を着想した場合、車のスペース制限を上手に克服して、大型犬を洗浄することができる大スペースの洗浄乾燥室を確保することが、顧客拡大のために重要となってくる。設置型のペット洗浄乾燥機の場合、洗浄乾燥室循環ポンプのエア噛み込み防止上必要なエア抜きタンクは、スペース上の制限はないので、洗浄乾燥室と水平方向に並べて設置されるのが一般的である。洗浄乾燥室と水平方向に並べて設置されるのは、車載式のペット洗浄乾燥機を着想した場合、大型犬は四つん這いになっていることから、垂直方向よりも水平方向に寸法が必要となるので、好ましくない。
従って、発明が解決しようとする第３課題は、車載式のペット洗浄乾燥機において、大型犬を収納できる洗浄乾燥室と洗浄乾燥室循環ポンプのエア噛み込み防止上必要なエア抜きタンクの設置スペースを如何に確保するかということである。
【課題を解決するための手段】
【００１９】
課題を解決するための手段は、本願の請求項１〜請求項７に記載の発明であり、具体的には以下に記載の通りである。
［請求項１］  ペット洗浄ノズルを多数設けたペット全身の洗浄乾燥をするための洗浄乾燥室、洗浄のための温水を貯蔵する温水貯蔵タンク、温水循環配管と循環ポンプとエア抜きタンクから構成される循環洗浄設備、温風循環配管と送風機から構成される循環乾燥設備とを有するペット洗浄乾燥機において、温風循環配管から構成される循環乾燥設備に吸気設備と排気設備を設置して、吸気設備の吸気口とカーエアコンの吹出口とが接続されていることを特徴とするペット洗浄乾燥機。
【００２０】
請求項１記載発明は、吸気設備の吸気口とカーエアコンの吹出口とが接続されていることが特徴的構成要件である。従来のペット洗浄乾燥機は、全て設置式であったことより、車載式のペット洗浄乾燥機を前提に考えなければ、本発明を想到することは不可能である。
【００２１】
車載式ペット洗浄乾燥機の課題は、ペット乾燥時間を極力短縮することであり、本発明の特徴的構成要件を想到するためには、種々の困難が待ち受けていた。車載式ペット洗浄乾燥機の場合、運転手はペット洗浄乾燥機を搭載した自動車を運転して目的地に到着した場合、自動車のエンジンを切った後に、ペット洗浄乾燥機に電源を入れてペット洗浄乾燥サービスを提供するのが一般的であり常識的である。
【００２２】
しかし、発明者はある時、自動車のエアコンの乾燥空気をペット乾燥のために用いるとペット乾燥時間が大幅に短縮するのではないかというアイデアが浮かんだ。
【００２３】
そういったアイデアがなかなか浮かばなかったのは、省エネルギーの観点から、安全性の観点から、目的地に着いた自動車のエンジンは必ず切るものだという先入観があり、エンジンを切った後に、ペット洗浄乾燥機を動かすものだという先入観に捕らわれていたためである。また、ペット洗浄乾燥機を使ってペット洗浄乾燥サービスを提供する場所は、私有地であり道路交通法の適用除外地であるので、運転手は一人で、自動車エンジンをアイドリングでエアコンを運転したまま、ペット洗浄乾燥機を動かしてペット洗浄乾燥サービスを提供することができるので本発明の実現が充分図られるということも判明した。
【００２４】
しかしながら、本発明の特徴的構成要件を想到してから、実際に本発明のペット洗浄乾燥機を実際に製作して運転してみてペット乾燥時間が大幅に短縮されるという予想外の効果を得て、本発明を完成した。
［請求項２］  温風循環配管から構成される循環乾燥設備に吸気設備と排気設備を設置して、吸気設備の吸気口がカーエアコンの吹出口とが接続されていることを特徴とする請求項１に記載のペット洗浄乾燥機。
［請求項３］  ペット洗浄ノズルを多数設けたペット全身の洗浄乾燥をするための洗浄乾燥室、洗浄のための温水を貯蔵する温水貯蔵タンク、温水循環配管と循環ポンプとエア抜きタンクから構成される循環洗浄設備、温風循環配管と送風機から構成される循環乾燥設備とを有するペット洗浄乾燥機において、ペット洗浄乾燥機に電力を供給する電源コンセントが、２以上の並列の一般家庭用１００Ｖ電源コンセントＶ１、Ｖ２…Ｖｎからなる電源コンセントであって、夫々の一般家庭用１００Ｖ電源コンセントの最大電流が許容ブレーカー電流２０Ａ以下となるように構成されたことを特徴とする請求項２に記載のペット洗浄乾燥機。
【００２５】
ここに、ｎは２以上の自然数である。
【００２６】
請求項１記載発明（本発明）は、特に、車載式ペット洗浄乾燥機の場合に以下のような特有の効果を発揮することができる。
【００２７】
従来のペット洗浄乾燥機は、全て設置式のもの（店舗にペット洗浄乾燥機を設置して、お客様がペットを連れて洗浄に訪れるという形態をとるもの）てあった。本発明では、車載式ペット洗浄乾燥機を初めてビジネスとして考え付き、技術的課題を解消したものである。
【００２８】
従来のペット洗浄乾燥機は、家庭用エアコンと同様に大電力を消費するということで、１つの２００Ｖ電源コンセントにより電力供給を受けていた。先行技術文献記載のペット洗浄乾燥機も全て２００Ｖ電源コンセントにより電力供給を受けていた。
【００２９】
ところが、車載式ペット洗浄乾燥機を使用するとなると、ペット洗浄サービスを提供する場所は、１００Ｖ（ただし、複数個は確保できる。）しかないのが現状であることが、判明した。そして、従来の設置式ペット洗浄乾燥機（２００Ｖ電源コンセント１個）をそのままでは、電力を供給してもらうことができないこと（技術課題）に発明者は気が付いた。
【００３０】
そこで、発明者は１００Ｖ電源によるペット洗浄乾燥機の電力供給方法について鋭意研究をして、ペット洗浄乾燥機の負荷電力をグループ分けして、それぞれのグループのトータル負荷電力による最大電流が許容電流２０Ａ以下にすれば、１００Ｖ電源（複数並列で必要になるが）で、ペット洗浄乾燥機に電力供給が可能となることに、発明者は想到して本発明を完成した。
［請求項４］  洗浄乾燥室の床面の下にエア抜きタンクを設置すると共に、レベルセンサーを用いてタンク水面をコントロールすることにより循環ポンプにエアが噛み込まないようにしたことを特徴とする請求項１〜３の何れかに記載のペット洗浄乾燥機。
【００３１】
請求項４記載発明（本発明）は、主として、ペット洗浄乾燥機を車載式ペット洗浄乾燥機にすることにより、生じたスペース上の車載式ペット洗浄乾燥機特有の課題を解決したものである。
【００３２】
すなわち、ペット洗浄水を循環させるためには、エア抜きタンクの水面が洗浄乾燥室の床面よりも下に設置する必要がある。洗浄乾燥室の床面よりも上に設置するとなると、床上まで水が来てペットが水浸しになるという不合理が生じるからである。
車載式ペット洗浄乾燥機では、洗浄乾燥室の天井部には排気ダクト等の乾燥用機器を設置するためにスペースが奪われ、大型犬のペットを想定するとなると洗浄乾燥室の高さもある程度の高さを必要とする。自動車の高さも通常の高さに制限されることとなり、洗浄乾燥室の床面の下にエア抜きタンクを設置するためのスペースは、僅か１０ｃｍ程度と非常に小さい。
【００３３】
循環ポンプは、早くペットを洗浄し終わるためには、大量に水を循環させる必要があり、送出ポンプの水量を多くすればする程、ポンプの入り口側からエア抜きタンクの水面から渦を生ずることとなり、エアを吸い込むこととなる。ポンプがエアを吸い込むと、最早正常なポンプ運転は期待できず、本発明では、エア吸い込みをなんとしてでも回避する必要があった。
【００３４】
種々発明者は、試験を重ねた結果、洗浄乾燥室の床面の下にエア抜きタンクを設置すると共に、レベルセンサーを用いてタンク水面をコントロールすることにより循環ポンプにエアが噛み込まないようにするという特徴的構成要件を想到して、本発明を完成させた。
［請求項５］洗浄から乾燥までを全自動で行えるようにプログラム設定機能を設けたことを特徴とする請求項１〜４の何れかに記載のペット洗浄乾燥機。
［請求項６］ペットの洗浄乾燥室を消毒洗浄する機能を設けたことを特徴とする請求項１〜５の何れかに記載のペット洗浄乾燥機。
［請求項７］ペット洗浄乾燥機が車載されることを特徴とする請求項１〜６の何れかに記載のペット洗浄乾燥機。
＜用語の説明＞
本願に記載された用語（特に、特許請求の範囲の各請求項に記載された用語）の解釈上の疑義を解消するべく、以下用語を説明する。
○ペット洗浄乾燥機とは、ペット洗浄ノズルを多数設けたペット全身の洗浄乾燥をするための洗浄乾燥室、温水貯蔵タンク、温水循環配管と循環ポンプとエア抜きタンクから構成される循環洗浄設備、温風循環配管と送風機から構成される循環乾燥設備とを有するペット洗浄乾燥機をいう。
【００３５】
本ペット洗浄乾燥機は、ペット全身洗浄とペット全身乾燥の両方を行うもので、原則として自動的に行うように構成されている。
【００３６】
主として、ペット洗浄乾燥機に電力を供給する電源コンセントが、一般家庭用１００Ｖ電源コンセントであるペット洗浄乾燥機をいうものとする。
【００３７】
主として、ペット洗浄乾燥機は、車載されて移動可能なものをいう。かかるペット洗浄乾燥機は車載式ペット洗浄乾燥機ともいう。ペット洗浄乾燥機が車載されて移動可能なものである場合、本願明細書において、ペット洗浄乾燥機とあるのは、車載式ペット洗浄乾燥機と読み替えるものとする。
○洗浄乾燥室とは、ペット全身をその中に入れて、ペット洗浄時には、温水を循環させてノズルからシャンプーを混入した循環温水を放出させて、ペット全身を洗浄させ、その後濯ぎ工程を経て、ペット全身を温風を循環させて乾燥させるように設計された室をいう。
○ペット洗浄ノズルとは、ペットを洗浄するために噴流水を噴出するためのノズルを言う。
○洗浄乾燥室の床面とは、ペットの足が接する床面で、例えば、洗浄後の水がエア抜きタンクに滴るように桟構造にすることが考えられる。
○エア抜きタンクとは、循環ポンプの吸水口からエアを噛み込むことにより循環ポンプの円滑運転が阻害されるのを防止するために設置される循環水を貯めるタンクをいう。このタンクでは循環水の流速が落ちて停滞するために、循環水に含まれるエアは、ゆっくり上昇してタンク水面から大気中に放出される。循環水中のエアが放出されることにより、循環ポンプの正常運転が確保される。
【００３８】
車載式ペット洗浄乾燥機においては、車のスペース制限を上手に克服して、大型犬のようなペットを洗浄することができる大スペースの洗浄乾燥室を確保するために、エア抜きタンクを何処に設置したら良いかが問題となる。また、エア抜きタンクは、循環水の流速を遅くして循環水中のエアを水面に放出するためには、ある程度の広さの面積の水面が確保される必要がある。設置型のペット洗浄乾燥機の場合、洗浄乾燥室循環ポンプのエア噛み込み防止上必要なエア抜きタンクは、スペース上の制限は厳しくないので、洗浄乾燥室と水平方向に並べて設置され、かつエア抜きタンクは深いものを用いることができる。
エア抜きタンクが深い場合、循環ポンプの吸引口から渦を生じてエアを吸引するという問題がないから、エア吸引に関する技術上の問題は存在しない。
発明者は鋭意検討した結果、車載式ペット洗浄乾燥機では、車のスペースと洗浄乾燥室の天井側に送風機等のスペースと大型犬の大きさ等の理由から、洗浄乾燥室の床面の下にエア抜きタンクを設置するのが省スペースの観点から好ましいことが分かった。
しかしながら、上述したように車高、送風機、大型犬の大きさ等の寸法上の制限が在ることから、エアタンク設置許容高さは、せいぜい１０ｃｍ程度しか確保され得ないことが種々検討した結果初めて分かった。設置型のペット洗浄乾燥機では問題とならないが、エア抜きタンクが非常に浅くなり、循環ポンプの吸引口から渦が発生してエアを吸い込むという問題が発生する。これを解決するためには、発明者は、鋭意工夫して、レベルセンサーを用いてタンク水面をコントロールすることにより循環ポンプにエアが噛み込まないようにすることを着想した。
【００３９】
しかし、エアタンク設置許容高さ１０ｃｍで、実際に循環ポンプにエアが噛み込まないようにすることができるかどうかが不明であったので、実験をしてみた。レベルセンサーの位置Ｈ（ｍｍ）は、循環パイプ側底面よりの寸法をあらわすものとし、レベルセンサー位置Ｈ（ｍｍ）を種々変えてみて、その時循環ポンプによるエア吸引の有無を観察した。本願明細書においては、レベルセンサーの位置Ｈは、タンク水面の高さＨと同義である。したがって、レベルセンサーの位置Ｈとあるのを、タンク水面の高さＨと読み替えることができる。
【００４０】
Ｈ／Ｈ０による循環ポンプによるエア吸引の有無の観察結果を表１に示す。エアタンク底面からのエアタンク設置許容高さＨ０が１００ｍｍあった。エアタンク底面からのレベルセンサー位置Ｈ（ｍｍ）を順次６０ｍｍ、６５ｍｍ、７０ｍｍ、７５ｍｍと位置を変えて実験したところ、レベルセンサー位置／エアタンク設置許容高さ、すなわち、Ｈ／Ｈ０が０．７でエアを吸い込み、Ｈ／Ｈ０が０．７５でエアを吸い込まなかった。Ｈ／Ｈ０をパラメータにしたのは、無次元化して、適用範囲の拡大を図ったためである。数値Ｈ／Ｈ０＝０．７５は、表１の実験結果から初めて判明したものであり、進歩性の判断における数値の臨海的意義を有することとなる。
すなわち、レベルセンサー位置Ｈ／エアタンク設置許容高さＨｏ、すなわち、Ｈ／Ｈ０が０．７５以上（１以下）となるように設置したレベルセンサーを用いることを特徴とする発明は、Ｈ／Ｈ０＝０．７５の数値の臨海的意義を有する発明ということができよう。
【００４１】
【表１】
0003635646.tif 000002
【００４２】
〔表１〕は、Ｈ／Ｈ０による循環ポンプによるエア吸引の有無の観測結果を示す。
○は、循環ポンプがエアを吸い込まず、正常稼動した。
×は、循環ポンプがエアを吸い込んで、正常稼動しなかった。
この実験結果を踏まえて、レベルセンサー位置Ｈ（ｍｍ）が８０ｍｍの箇所に設置して、循環水の水面位置をレベルセンサー位置Ｈ（ｍｍ）となるようにコントロールをするようにしている。
本発明では、レベルセンサーによって循環水の水面位置Ｈをタンク底面か０．７５Ｈ０以上になるようにコントロールすることが必要となる。
すなわち、洗浄乾燥室の床面の下にエア抜きタンクを設置し、レベルセンサーを用いてタンク水面を底面から０．７５Ｈ０以上になるようにコントロールすることにより循環ポンプにエアが噛み込まないようにしたことを特徴とするペット洗浄乾燥機も本発明となり得る。
○温水貯蔵タンクとは、ペットを洗浄するための温水を予め貯蔵しておくタンクをいう。例えば、温水貯蔵タンクは、水道水を温めて、二匹分を洗浄するのに必要な容量の温水を貯蔵しておく。
○温水循環配管とは、洗浄のための温水を循環して、ノズルから放出しするため管路をいう。
○循環洗浄設備とは、温水循環配管と循環ポンプとエア抜きタンクから構成される設備をいう。
○循環乾燥設備とは、温風循環配管と送風機から構成される設備をいう。
○温風循環配管とは、乾燥のための温風を循環して、ペットを乾燥するため管路をいう。
○２以上の並列の一般家庭用１００Ｖ電源コンセントからなる電源コンセントとは、以下のように構成された電源コンセントを言う（図１７を参照）。ペット洗浄乾燥機用電源コンセントは、２以上の一般家庭用１００Ｖ電源コンセントから構成され、各一般家庭用１００Ｖ電源コンセントを夫々Ｖ１、Ｖ２…Ｖｎとする。ｎは、２以上の自然数である。
【００４３】
ペット洗浄乾燥機のユーティリティ電力負荷（単に電力負荷ともいう。）をＷ１、Ｗ２…とする。
【００４４】
当該ペット洗浄乾燥機のユーティリティ電力負荷Ｗ１、Ｗ２…を、それぞれＷ１１、Ｗ１２…、Ｗ２１、Ｗ２２…、…Ｗｎ１、Ｗｎ２…となるように分類する。
【００４５】
図８のように、各一般家庭用１００Ｖ電源コンセントＶ１、Ｖ２…Ｖｎは、並行接続されおり、一般家庭用１００Ｖ電源コンセントＶ１は、ユーティリティ電力負荷Ｗ１１、Ｗ１２…に接続されてなり、一般家庭用１００Ｖ電源コンセントＶ２は、ユーティリティ電力負荷Ｗ２１、Ｗ２２…に接続されてなり、一般家庭用１００Ｖ電源コンセントＶｎは、ユーティリティ電力負荷Ｗｎ１、Ｗｎ２…に接続されてなる。
【００４６】
そして、電力負荷Ｗ１、Ｗ２…、電力負荷Ｗ１１、Ｗ１２…Ｗ１Ｅ、電力負荷Ｗ２１、Ｗ２２…Ｗ２Ｅ…電力負荷Ｗｎ１、Ｗｎ２…ＷｎＥについて、各電力負荷の電力容量（Ｗ）をＷ１、Ｗ２…、Ｗ１１、Ｗ１２…Ｗ１Ｅ、Ｗ２１、Ｗ２２…Ｗ２Ｅ…Ｗｎ１、Ｗｎ２…ＷｎＥ
とする。
○一般家庭用１００Ｖ電源コンセントＶ１、Ｖ２…Ｖｎの最大電流とは、一般家庭用１００Ｖ電源コンセントＶ１、Ｖ２…Ｖｎを流れる最大の電流をいう。
本願では、一般家庭用１００Ｖ電源コンセントＶ１の電力負荷の電力容量Ｗｔ１は、次式で算出される。
【００４７】
Ｗｔ１＝Ｗ１１＋Ｗ１２＋…＋Ｗ１Ｅ
一般家庭用１００Ｖ電源コンセントＶ１の電力負荷の電力容量Ｗｔ２は、次式で算出される。
【００４８】
Ｗｔ２＝Ｗ２１＋Ｗ２２＋…＋Ｗ２Ｅ
一般家庭用１００Ｖ電源コンセントＶ１の電力負荷の電力容量Ｗｔｎは、次式で算出される。
【００４９】
Ｗｔｎ＝Ｗｎ１＋Ｗｎ２＋…＋ＷｎＥ
○許容ブレーカー電流とは、一般家庭用の分電盤に設置されるブレーカーは一般に２０Ａを越えた場合にブレーカーが落ちるように設定されている。従って、一般に家庭用の機器を使用する電源は、許容ブレーカー電流が２０Ａに設定されている。許容ブレーカー電流が１５Ａの場合もある。
○夫々の一般家庭用１００Ｖ電源コンセントＶ１、Ｖ２…Ｖｎの最大電流が許容ブレーカー電流２０Ａ以下となるように構成されたとは、一般家庭用電源が１００Ｖであることから、以下の式１を具備することをいう。
Ｗｔ１／１００≦２０かつＷｔ２／１００≦２０かつ…Ｗｔｎ／１００≦２０……式１
ここに、
Ｗｔ１＝Ｗ１１＋Ｗ１２＋…＋Ｗ１Ｅ
Ｗｔ２＝Ｗ２１＋Ｗ２２＋…＋Ｗ２Ｅ
…
Ｗｔｎ＝Ｗｎ１＋Ｗｎ２＋…＋ＷｎＥ
本願の特徴的構成要件が特に有効な場合としては、ユーティリティ電力負荷が本発明の１００Ｖ電源コンセント数ｎの組に振分けることができ、各１００Ｖ電源コンセントを流れる最大電流が許容ブレーカー電流以下に設定することができる場合である。
【００５０】
本発明の場合は、ｎ＝２とし、表３のように、うまく振分けることができた。
【００５１】
ペット洗浄用の温水ヒーターの電力負荷が大きいのは予測可能である。しかし、ペット乾燥用の温風ヒーターの電力負荷が大きく、温水ヒーターの電力負荷と同程度というのは意外であった。常時水を温めている温水ヒーターの場合に比較して、温風ヒーターの場合は、空気の電熱効率が悪く、できるだけ早く乾燥しなければならないからであろう。
【００５２】
上記に気がついて、発明者はユーティリティー電力負荷を電源コンセントＶ１と電源コンセントＶ２に振分けることができ、しかも、電源コンセントＶ１、Ｖ２を流れる最大電流が、許容ブレーカー電流以下に設定することができた。
○吸気設備とは、循環温風設備が、洗浄乾燥室の温風を循環しながら、吸気と排気を同時にする場合において、吸気のための設備をいう。
○排気設備とは、循環温風設備が、洗浄乾燥室の温風を循環しながら、吸気と排気を同時にする場合において、外気に排気するための設備をいう。
○吸気設備の吸気口とは、循環温風設備が、洗浄乾燥室の温風を循環しながら、吸気と排気を同時にする場合において、外気又はカーエアコンの送出空気を吸引するための設備をいう。
○カーエアコンとは、自動車に設置されたエアコンをいう。一般には、自動車はエンジンを駆動する際に発生するラジエーターの放出熱を利用して、除湿したドライな温風をカーエアコンの吹出口から送出することができる。
○カーエアコンの吹出口とは、カーエアコンの空気を送出すための口をいい、一般には除湿した温風を送出することができる出口をいう。
○吸気設備の吸気口とカーエアコンの吹出口とが接続されていることとは、カーエアコンの除湿した温風が、カーエアコンの吹出口から送出されて、吸気設備の吸入口に取り入れられることを一般には意味する。
【発明の効果】
【００５３】
本発明の構成とすることにより、前述した発明の課題を全て達成することができた。
【００５４】
具体的には、温風循環配管から構成される循環乾燥設備に吸気設備と排気設備を設置して、吸気設備の吸気口とカーエアコンの吹出口とを接続することによって、悪条件下であっても、ペット洗浄乾燥機の洗浄乾燥時間のうち、意外に大きな割合のペット洗浄乾燥機の乾燥時間を、大幅に短縮することができ、ペットを飼っている一般家庭まで出向き、いつでもどこでもペットの洗浄乾燥を行うことができた。吸気設備の吸気口とカーエアコンの吹出口とを接続するという発想を得るのは、カーエアコンは車に乗った人間のために用いるものということが先入観として働くためペットの乾燥のために用いるとことへの着想を得ることは阻害されて非常に困難であったが、ペットの乾燥時間短縮を図るという強い意思により達成することができた。
【００５５】
さらに、ペット洗浄乾燥機に電力を供給する電源コンセントが２以上の並列の一般家庭用１００Ｖ電源コンセントＶ１、Ｖ２…Ｖｎからなる電源コンセントであって、夫々の一般家庭用１００Ｖ電源コンセントの最大電流が許容ブレーカー電流２０Ａ以下となるように構成することにより、一般家庭用１００Ｖ電源コンセントが一つの場合に比較して、冬季の外気が低温の時期、雨や梅雨のような高湿の時期等（悪条件下）であっても、ペット洗浄乾燥機の洗浄乾燥時間を短縮することができ、ペットを飼っている一般家庭まで出向き、いつでもどこでもペットの洗浄乾燥を行うことができた。
【００５６】
本発明は、車載式のペット洗浄乾燥機において、洗浄乾燥室の床面の下にエア抜きタンクを設置すると共に、レベルセンサーを用いてタンク水面をコントロールすることにより循環ポンプにエアが噛み込まないようにしたことにより、車のスペース制限を上手に克服して大スペースの洗浄乾燥室を確保することが可能となり、大型犬のようなペットを洗浄乾燥することが可能となった。
【００５７】
本発明は、ペットの洗浄から乾燥まで、全自動で行えるようにしたため、人手を煩わせることなく、効率的にペットの洗浄が行える。また、全行程を１つの室内で可能とし、しかも該室内は透明パネルで内部のペットの様子がよく見えるようにしているため、ペットも怯えることなく、さらに飼い主も安心して、装置を使用することが出来る。
【００５８】
さらに、ペットは従来のように紐で拘束されたり、押さえつけられたりする必要がなく、自由に動けるためリラックスした状態で洗浄乾燥を受けることができる。さらに、装置全体の大きさも非常にコンパクトに設計されているため、使用勝手がよい。
【００５９】
また、洗浄水は循環させることも循環させずに排水させることも可能であるため、用途に応じてこの両者を切り替えることで、循環式の洗浄にも、循環しない室内・床面の洗浄にも使用することが可能で、特にペットの排泄物の処理等にも使い分けることが可能となる。
【００６０】
本発明によれば、温風の全部又は一部を洗浄乾燥室から排気する設備が設けられているため、乾燥能力がきわめて高く、洗浄乾燥室内の衛生環境が非常に良い。
【００６１】
また、洗浄水を循環させる循環経路と、洗浄水を排水する排水経路とが、完全に別離して配設されるため、室内を消毒洗浄した後の水や排泄物等を含んだ汚水が、循環経路に流入することがなく、洗浄乾燥室内の衛生環境が格段に向上し、ペットが皮膚病等の病気に感染するといったことを防止できる。
【発明を実施するための最良の形態】
【００６２】
発明を実施するための最良の形態としての実施例に用いられる＜全自動ペット洗浄乾燥機＞、＜ペット洗浄乾燥の簡単なプログラム＞、＜ペット洗浄乾燥機における循環ポンプ設備及び排水設備＞を以下説明する。
＜全自動ペット洗浄乾燥機＞
全自動ペット洗浄乾燥機は、縦１７００ｃｍ〜１９００ｃｍ、横１６００〜１８００ｍ、奥行き６００〜９００ｃｍ程度の箱型装置である。装置前面にはペットを設置可能な透明の扉を設けている。この装置には、洗浄乾燥室と、洗浄乾燥室に温水の洗浄水を供給するための温水貯蔵タンク、洗浄液タンク、循環ポンプ、ドライヤー及び送風機、多数のノズル、排水設備、排気設備を有し、定型化されたプログラムで操作が可能なようにした操作パネルが装置前面に設けられている。
本発明のペット洗浄乾燥機（１）は図１〜図２、図４に示すごとく、例えば犬、猫等のペットを洗浄するための洗浄乾燥室（２）、洗浄水を貯蔵し、温水に帰る温水貯蔵タンク（３）とヒータ（３ａ）、循環ポンプ（４）、洗浄液タンク（５）、消毒液タンク（６）、ノズル（７）、ドライヤ（８）、ファン（９）、排水バルブ（１０）、操作パネル（１１）、ドア（１２）、排気口（１３）、排気ダクト（１４）、排水口（１５）からなる。
【００６３】
ここで、洗浄乾燥室（２）は、透明なドア（１２）を前面に有し、内法寸法が１０００×１０００×５００ｃｍ程度の室内で構成している。上下側壁面には、図３に示す如く、全体で３６個のノズルが設けられ、前面以外の上下側壁の５面から洗浄液及び乾燥用の温風を噴射可能となっている。従って、セットされたペットは、前面以外の面のノズルより洗浄液が噴射され、全身が瞬時に洗浄される。また、乾燥される場合も同様で、洗浄乾燥室上部に設けられたドライヤーから乾燥用温風が室全体に供給され、短時間に全身の乾燥が可能となる。
さらに、この洗浄液は循環ポンプと循環用パイプ（４′）を使用して何度も循環させることも可能となっている。さらに、このペット洗浄乾燥機（１）には、乾燥時に、乾燥用の温風を排気させるための排気口（１３）が設けられている。ダンパーの切り替え行為により、温風全部あるいは温風の一部を排気することが可能である。
＜ペット洗浄乾燥の簡単なプログラム＞
また、このペット洗浄乾燥機は洗浄の簡単なプログラムがセット可能となっている。例えば、表２のような内容で、ボタン１つ押すことによって、プログラムされた操作が作動する。
【００６４】
【表２】
0003635646.tif 000003
【００６５】
〔表２〕は、ペット洗浄乾燥の簡単なプログラムを示す。
このようなペット洗浄乾燥機を使用して秋田犬（２０Ｋｇ程度）を洗浄する場合について説明する。
【００６６】
まず、ペットを洗浄するに当たり、ペット洗浄乾燥機の準備を行う。
【００６７】
あらかじめ装置に設けられている温水貯蔵タンクに給水して水をため、ヒータをオンにして温水の準備を行う。また、ペットを実際にセットする前に例えば上記プログラム４又は５で室内の洗浄を行う方が好ましい。
【００６８】
一般にペットに最適の洗浄用の温水温度は３０度から３６度である。
【００６９】
実際にペットをセットする場合は、前面のドア（１２）を開け、ペットの顔をドア側すなわちドアの透明パネルが見えるようにこちらに向けてセットする（図１）。ドアパネルは透明体で形成しているため、中にセットされたペットは顔をドア側に向けてやること洗浄中も飼主を見ることができ、安心して洗浄されている。
【００７０】
そのようにしても、ペットによっては、このような全自動洗浄機にはじめてセットされる場合は、恐怖心を持ったり、噴射される洗浄液に驚いたりする場合もある。しかし、洗浄されて気持ちが良いことがわかるとすぐに慣れて抵抗なく、洗浄機にセットされるようになる。
【００７１】
なお、本発明には水量、風量は強弱の設定が可能となっており、本実施例においては、
秋田犬を洗浄するため、毛足は比較的短く、水量、風量は強弱の調整は「中」を選択することとなる。
【００７２】
ペットをセット後、プログラムの１ボタンを押すだけで自動的に２分のシャンプー洗浄と３０秒のすすぎ、その後２０分の乾燥工程が自動的に行われる。従って、ペットをセットしてからわずか２５分後には、ペットがすっかりきれいに洗浄され、しかもすっかり乾燥されて出てくることになる。
【００７３】
この間、飼主は一切の手間が要らず、他の用事に従事することも可能である。しかも、廻りが水分やペットの抜けた毛で荒らされることもない。携わる人間がこれらの水分やペットの抜けた毛で汚されることも一切ない。従って、非常に便利なペット洗浄乾燥機であるといえる。
＜ペット洗浄乾燥機における循環ポンプ設備及び排水設備＞
ペット洗浄乾燥機における循環ポンプ設備及び排水設備について、図４を参照して説明する。
【００７４】
本実施例に係るペット洗浄乾燥機は、図４に示すように、循環設備として循環ポンプ（４）及び循環配管（２０）を有し、また排水設備として排水口（１５）、排水バルブ（１０）、及び排水配管（２１）を有するものである。
洗浄乾燥室（２）の床面（２５）の下に、エア抜きタンク（２６）が設けられている。エア抜きタンク（２６）の側壁にレベルセンサー（２７）が取り付けられている。
【００７５】
レベルセンサー（２７）は、エア抜きタンク（２６）の水面高さＨ（ｍｍ）を検知して、コントロール装置（図示せず）により、エア抜きタンク（２６）の水面を一定高さＨ０（ｍｍ）になるよう保っている。
エア抜きタンク（２６）のタンク底面（２４）には排水口（１５）が設けられ、排水口（１５）に向かって水勾配が取られている。
【００７６】
また循環配管（２０）は、洗浄乾燥室（２）の側壁であって、水上となる入隅部分に接続されており、さらに接続口（２３）には電磁弁（２２）が設けられている。
【００７７】
まず洗浄水を循環させてペットを洗浄する場合を想定する。洗浄水は、洗浄乾燥室内（２）に多数設けられたノズル（７）から噴射され、これによってペットを洗浄する。
【００７８】
ペット洗浄時には、洗浄水を循環させて使用するため、排水バルブ（１０）が閉じられて、洗浄水が排水されてしまわないようになっている。ノズル（７）からひとたび噴射された洗浄水は、接続口（２３）において電磁弁（２２）を開かれた循環配管（２０）内を通って循環し、再び洗浄水としてノズル（７）から噴射される。
【００７９】
このようにして、循環ポンプ（４）と循環配管（２０）によって、何度でも洗浄水を循環させることが可能である。
【００８０】
次に、洗浄水を循環させないで排水する場合を想定する。
【００８１】
排水時には、排水バルブ（１０）が開かれ、排水口（１５）から流入した洗浄後の洗浄水が配水管（２１）を通って排水されることになる。このとき、ペットの糞や尿などの排泄物も同時に排水可能である。
【００８２】
排水時、循環配管（２０）の接続口（２３）に設けられた電磁弁（２２）は閉じられており、さらに洗浄乾燥室（２）のタンク底面（２４）は排水口（１５）に向かって傾斜角度がつけられているため、排水が循環配管（２０）内には流入しないようになっている。
【００８３】
以上、本実施例によれば、洗浄水を循環させる経路と洗浄水を排水する経路とが全く別配管によって構成されているため、室内を消毒洗浄した後の水や排泄物を含んだ汚水等が、循環配管（２０）内に流入することがない。
【００８４】
循環配管（２０）内に室内を消毒洗浄した後の水や排泄物を含んだ汚水等が一度混入すると、その配管内を十分に洗浄・消毒しなければ、ペットへの皮膚病や新たなる病気の感染のおそれ等、次回から使用するペットへ悪影響をもたらすこととなるが、本発明  によれば、そのようなことが確実に防止できる。
【実施例１】
【００８５】
実施例１は、本実施例に説明した以外は、＜全自動ペット洗浄乾燥機＞、＜ペット洗浄乾燥の簡単なプログラム＞、＜ペット洗浄乾燥機における循環ポンプ設備及び排水設備＞に記載された通りに行なうものとする。
【００８６】
本実施例では、本発明のペット洗浄乾燥機（１）を、図５のように市販のワゴン車（５０）に車載できるような大きさとして設計したものであり、図６に示すごとく、洗浄乾燥室（２）、温水貯蔵タンク（３）、ヒータ（３ａ）、循環ポンプ（４）、ノズル（７）、温風ヒーター（５４）、送風機（５２）、排気口（１３）、排気ダクト（１４）、排水口（１５）等が備えられている。
【００８７】
本実施例では、温風ヒーター（５４）、及び温度センサー（５３）が設けられており、洗浄乾燥室（２）内に送風される空気の温度を温度センサー（５３）が管理している。温度が不足している場合には、温風ヒーター（５４）が自動点火するようになっている。
【００８８】
本実施例に係るペット洗浄乾燥機は、市販のワゴン車（５０）に積載されるものであり、ワゴン車（５０）の移動に伴って移動可能である。
一般家庭等の１００Ｖ電源コンセントを利用し、さらに、一般水道水栓から給水を引き込むことで、いずれの移動先においても本発明に係るペット洗浄乾燥機を駆動させることができることが、本実施例の特徴である。
本実施例では、ペット洗浄乾燥機に電力を供給する電源コンセントが、並列に設置された２つの一般家庭用１００Ｖ電源コンセントＶ１、Ｖ２からなる電源コンセントである。
【００８９】
以下、表３に基づいて説明する。
【００９０】
表３は、ユーティリティの電力負荷の電源コンセントへの振分け（一例）を示している。
ペット洗浄乾燥機のユーティリティの電力負荷は、Ｗ１：温水ヒーター、Ｗ２：循環ポンプ、Ｗ３：温風ヒーター、Ｗ４：送風機、Ｗ５：排水バルブ、Ｗ６：蛍光灯、Ｗ７：シャンプーポンプ、Ｗ８：消毒液ポンプ、Ｗ９：電磁弁（６ヶ）である。
そして、Ｗ１〜Ｗ９のユーティリティーの電力負荷の電力容量は、Ｗ１（＝ｗ１１）、Ｗ２（＝ｗ１２）、Ｗ３（＝ｗ２１）、Ｗ４（＝ｗ２２）、Ｗ５（＝ｗ２３）、Ｗ６（＝ｗ２４）、Ｗ７（＝ｗ２５）、Ｗ８（＝ｗ２６）、Ｗ９（＝ｗ２７）てある。
夫々の電力負荷の電力容量の数値は、Ｗ１（＝ｗ１１）＝１２００ｗ、Ｗ２（＝ｗ１２）＝７５０ｗ、Ｗ３（＝ｗ２１）＝１２００ｗ、Ｗ４（＝ｗ２２）＝４００ｗ、Ｗ５（＝ｗ２３）＝１０ｗ、Ｗ６（＝ｗ２４）＝１３ｗ、Ｗ７（＝ｗ２５）＝１３ｗ、Ｗ８（＝ｗ２６）＝２５ｗ、Ｗ９（＝ｗ２７）＝２５ｗである。
【００９１】
上記Ｗ１〜Ｗ９のユーティリティーの電力負荷を、電源コンセントＶ１に接続するグループと電源コンセントＶ１に接続するグループに組分け（振分け）することとする。
ここで、電源コンセントＶ１に接続するユーティリティーの電力負荷は、Ｗ１（＝ｗ１１）：温水ヒーターとＷ２（＝ｗ１２）：循環ポンプとする。
電源コンセントＶ２に接続するユーティリティーの電力負荷は、Ｗ３（＝ｗ２１）：温風ヒーター、Ｗ４（＝ｗ２２）：送風機、Ｗ５（＝ｗ２３）：排水バルブ、Ｗ６（＝ｗ２４）：蛍光灯、Ｗ７（＝ｗ２５）：シャンプーポンプ、Ｗ８（＝ｗ２６）：消毒液ポンプ、Ｗ９（＝ｗ２７）：電磁弁（６ヶ）とする。
電源コンセントＶ１に接続するユーティリティーの電力負荷の電力容量の合計ｗｔ１＝Ｗ１１＋Ｗ１２＝１９５０ｗである。
電源コンセントＶ２に接続するユーティリティーの電力負荷の電力容量の合計ｗｔ２＝Ｗ２１＋Ｗ２２＋Ｗ２３＋Ｗ２４＋Ｗ２５＋Ｗ２６＋Ｗ２７＋Ｗ２８＋Ｗ２９＝１７５７ｗである。
電源コンセントＶ１に流れる最大電流は、一般家庭用電源が１００Ｖであることより、ｗｔ１（ｗ）／１００Ｖ＝１９５０ｗ／１００Ｖ＝１９．５Ａ≦２０Ａ（許容ブレーカー電流）となる。
電源コンセントＶ２に流れる最大電流は、一般家庭用電源が１００Ｖであることより、ｗｔ２（ｗ）／１００Ｖ＝１７５７ｗ／１００Ｖ＝１７．５７Ａ≦２０Ａ（許容ブレーカー電流）となる。
従って、上記のように各ユーティリティーの電力負荷を振分けることによって、夫々の一般家庭用１００Ｖ電源コンセントＶ１、Ｖ２の最大電流が許容ブレーカー電流２０Ａ以下となるように設定することができた。
上記のように、１００Ｖ電源コンセントＶ１、Ｖ２（そして、夫々の一般家庭用１００Ｖ電源コンセントＶ１、Ｖ２の最大電流が許容ブレーカー電流２０Ａ以下となるように設定されている。）を設けることにより、１００Ｖ電源ブレーカーが落ちることなく、ペット洗浄乾燥機を駆動することが可能となる。
下記は、請求項１記載発明の実施例の一例であり、２以上の１００Ｖ電源コンセントを用いてペット洗浄乾燥機を駆動可能な限りにおいて、夫々の一般家庭用１００Ｖ電源コンセントＶ１、Ｖ２の最大電流が許容ブレーカー電流２０Ａ以下となるように設定可能な限りにおいて、ユーティリティー電力負荷（温水ヒータ、循環ポンプ、温風ヒーター等）の組合せや電源コンセントの箇数は、当然変更可能である。
【００９２】
【表３】
0003635646.tif 000004
【００９３】
〔表３〕は、ユーティリティの電力負荷の電源コンセントへの振分け（一例）を示す。
以上、本実施例によれば、車の移動に伴って、時間や場所を選ばずにペットの洗浄が可能となり利便性が非常に高くなった。２００Ｖ電源を必要とする店舗固定型の従来品に比べて、２００Ｖ電源の設置場所に拘束されることなく、移動可能となるので、ペット洗浄乾燥サービスの提供エリアが拡大することが可能となった。
【実施例２】
【００９４】
実施例２は、温風循環配管から構成される循環乾燥設備に吸気設備と排気設備を設置して、吸気設備の吸気口とカーエアコンの吹出口とが接続されている。このように構成されていることが、実施例２の特徴である。
排気ダクト（１４）の末端には強制排気ファン（５５）が設けられており、排気ダクト（１４）を通過してきた洗浄乾燥室（２）の湿った空気が強制的に室外に排気されるようになっている。
【００９５】
本実施例では、カーエアコンから除湿されたドライな温風を得るようにしており、図６に示すように、カーエアコン（５１）から吹き出された温風が、送風機（５２）によって洗浄乾燥室（２）内に送り込まれるように構成されている。
【００９６】
カーエアコンのラジエーターは、車によって最高７０〜８０℃にもなり、その放出熱を有効利用して、カーエアコン吹出口から、除湿されたドライな温風を得るようにしている。実施例２は、これを利用して消費電力を大幅に抑え、ペット洗浄乾燥機を一般家庭の１００Ｖ電源コンセントに対応して駆動可能としたものである、
以下、実際に、ペット洗浄乾燥機を運転した場合について以下説明する。
【００９７】
運転条件は、外気温度が３０．９℃で外気湿度は４６％であった。そして、カーエアコンの温風の温度が５０℃でカーエアコンの温風の湿度は３０％であった（梅雨時の外気よりもカーエアコンの温風の方が犬の乾燥に遥かに適している。）。
【００９８】
ペット洗浄乾燥機のシステム設定条件については、シャンプー時間を２分、ウォッシュアップ時間を３０秒、ペット乾燥時間を２０分と設定した。
条件Ａ（本実施例）
カーエアコンはオンにして、強制排気もオンにした。送風機による温風循環は行った。
【００９９】
ここにおいて、カーエアコンからの除湿したドライな温風を洗浄乾燥室内に導入すると共に、それと同じ容量を外気に強制排気により排出した。
条件Ｂ（比較例）
カーエアコンはオフにして、強制排気もオフにした。ただし、送風機による温風循環は行った。
【０１００】
【表４】
0003635646.tif 000005
【０１０１】
〔表４〕は、吸気設備の吸気口とカーエアコンの吹出口とが接続されている場合と接続されていない場合の比較を示す。
表４から、以下のことが分かった。
室内温度は、温度上昇率、安定性の両方について、条件Ｂ（比較例）よりも条件Ａ（実施例２）の方が優れている。
洗浄乾燥室内の湿度は、条件Ｂ（比較例）では、室内の湿度が低下するまでの状態に至らなかったのに対して、条件Ａ（実施例２）では、３分後の７３％をピークに室内湿度を低下させる効果があった。すなわち、ペット洗浄乾燥開始後２０分経過時点では、条件Ａ（実施例２）の室内湿度が５６％であり、ペットを乾燥させる能力があるのに対して、条件Ｂ（比較例）の洗浄乾燥室内の湿度が９３％であり、最早殆どペットを乾燥させる能力がないことがわかった。
ペット洗浄乾燥開始後２０分経過時点で、条件Ｂ（比較例）では、殆どペットを乾燥させる能力がなくなっているのであるから、それまでにペットが乾燥していなかったら、それ以上に乾燥させるのは至難の業であることが、ペット洗浄乾燥機を実際に運転してみて、発明者は始めて気がついた。
すなわち、条件Ａ（実施例２）は、ペット洗浄乾燥開始後２０分経過時点でも、洗浄乾燥室内の湿度が５６％であり、ペットを乾燥させる能力が十分あることが分かり、カーエアコンからの除湿したドライな温風を洗浄乾燥室内に導入する効果が、顕著であることが実証された。
さらに、実際に犬を使っての比較試験を行って、ペット洗浄乾燥開始後２０分経過時点で犬の乾燥具合を比較してみることとした。
以下、詳説する。
使用した犬はシベリアンハスキーで、全体の毛の長さは約５ｃｍであった。
【０１０２】
本実施例の条件Ａでは、乾燥時間２０分経過時点で、犬全体が８分〜９分乾きに至っている。
【０１０３】
条件Ｂ（比較例）では、乾燥時間２０分経過時点で、頭部の一部分が本実施例の条件Ａに比較して明らかに乾きが悪く、８分乾きに留まり、全体には、ほぼ湿った状態であった。
条件Ｂ（比較例）では、さらに乾燥を継続して、累積乾燥時間４０分経過時点で、乾燥時間２０分経過時点の本実施例の条件Ａと同等の乾きには至らなかった。
【０１０４】
上記の結果から、特に、カーエアコンから除湿された温風を取り入れることにより、カーエアコンからは、除湿された温風が送られてきて、ペットの乾燥を行うことが可能となる。エアコン処理された除湿されたドライな温風であるため、ペットを著しく早く乾燥させることができる。
【０１０５】
さらに、図６に示すように、排気ダクト（１４）の末端に強制排気ファン（５５）が設けられて、湿った空気が強制的に排出される一方で、カーエアコン（５１）から、エアコンによって除湿処理された温風が洗浄乾燥室（２）内に送風されるため、乾燥能力が著しく向上することとなった。
【０１０６】
排気設備を持たない従来品では、乾燥時に送風ファンで室内の湿った空気を循環させるだけであったため、乾燥能力が非常に悪いという問題があったが、本実施例によれば、そのような問題が解消された。
【０１０７】
エアコン吹出風の温度と湿度が５０℃と３０％であるのに対して、外気の温度と湿度が３０．９℃と４６％に比較してあり、エアコン吹出風の方が、外気よりも、はるかに犬の乾燥能力に優れているので、吸気設備の吸気口とカーエアコンの吹出口とが接続されていることという本発明の構成要件により当業者が予測できない顕著な効果を奏することができた。
【実施例３】
【０１０８】
本実施例に記載されている以外は、実施例２記載の通りに行った。
【０１０９】
次に、皮膚病に冒されているスピッツを洗浄する場合の実施例について説明する。
【０１１０】
対象のスピッツは秋田犬に比べ小型犬の部類に属する。
【０１１１】
また、皮膚病に冒されているため、通常の洗浄液（シャンプー）より濃度を薄めた洗浄を選択する。あるいは症状によっては温水のみによっても良い。また、温水の温度は皮膚病の程度にあわせ、皮膚に刺激とならない程度を選択する。そして、水量や風量も小型犬であることと皮膚病があることから弱を選択する。このような条件設定をおこなって、ペットをセットし、プログラムのＮＯ，１又は２を選択する。
【０１１２】
洗浄後は、ペットを取り出し、プログラムＮＯ，４又は５をセットする。このようにすることで、皮膚病のペットから付着した菌が消毒液によって洗浄され、洗浄乾燥室そのものが消毒されるため、以後のペットの使用によっても、該菌が他のペットに感染する恐れがない。
【０１１３】
さらに、洗浄乾燥中に、このスピッツが糞や尿をした場合を想定してみよう。乾燥途中に糞をしてしまった場合は、操作の一時停止ボタンを設けているため、これを押し、一旦プログラムを一時停止する。そして、ペットを一旦取り出し、直ぐに、プログラムのＮＯ，５を実行する。すると汚物が排水により押し流され、排水口（１５）から押し流されると共に、室内の床面洗浄液が流され汚物により汚された床面が洗浄殺菌される。この処理後、再びペットをセットし、スタートボタンを押すと、一時停止したプログラムが再開され、乾燥工程の続きが行われる。
【０１１４】
また、一般にペットを洗浄後乾燥中にはペットの毛が舞うのと、ペット臭が発生するが、本発明のペット洗浄乾燥機においては、排気口（１３）を設け、乾燥室から排気ダクト（１４）を経由した排気流は一部循環するものの、残りは排気口（１３）から装置外に排出されるようになっている。このような構成にすることで、ペットの臭いや、湿気を含んだ空気が外部に排出されるため、装置内に臭いもこもらず乾燥効率も上がり好ましい。
【０１１５】
以上説明したように、本発明のペット洗浄乾燥機は、全自動でペットの洗浄乾燥が行えるばかりではなく、ペットの種類や症状、大きさ、その他あらゆる場合を想定したきめ細かな調整ボタンを設けて調整可能としているため、あらゆるペットに対応可能で、便利な構成となっている。
【０１１６】
また、上記プログラムは自分で簡易に設定可能であるため、自己のペットにあわせた数種類のプログラムをセットすることも可能である。
【０１１７】
また、汚物の処理や室内洗浄も可能としているため、病気の感染も防止できると共に、装置自体も清潔に保つことが可能となっている。
【産業上の利用可能性】
【０１１８】
本発明は、全自動でペットの洗浄を行えるようにした洗浄機であり、使用中の種々の問題点にも対応可能としたため、産業上の利用可能性を有するものである。
【図面の簡単な説明】
【０１１９】
【図１】本発明の使用状態を示す簡略斜視説明図である。
【図２】本発明の正面図と側面図である。
【図３】本発明のノズル位置を説明した説明図である。
【図４】本発明の循環ポンプ設備及び排水設備を示した図である。
【図５】本発明を車載タイプとした場合の正面図と側面図である。
【図６】本発明を車載タイプとした場合の洗浄乾燥室及び温水貯蔵タンクの拡大説明図
【図７】本発明の各ユーティリティ電力負荷の通電状態を表す図
【図８】本発明の電源コンセントと各ユーティリティ電力負荷の関係を示す図である。
【図９】本発明のエア抜きタンクにおけるエア吸引の発生防止を説明する図である。
【符号の説明】
【０１２０】
１  ペット洗浄乾燥機
２  洗浄乾燥室
３  温水貯蔵タンク
４  循環ポンプ
５  洗浄液タンク
６  消毒液タンク
７  ノズル
８  ドライヤー
１０  排水バルブ
１１  操作パネル
１２  ドア
１３  排気口
１４  排気ダクト
１５  排水口
２０  循環配管
２１  排水配管
２２  電磁弁
２３  接続口
２４  タンク底面
２５  床面
２６  エア抜きタンク
２７  レベルセンサー
５１  カーエアコンの吹出口
５２  送風機
５３  温度センサー
５４  温風ヒーター
５５  強制排気ファン
５６  温風循環配管
【要約】
【課題】              発明が解決しようとする第１課題は、一般家庭用１００Ｖ電源コンセントのペット洗浄乾燥機において、悪条件下であっても、ペット洗浄乾燥機の洗浄乾燥時間を短縮することである。
【解決手段】          ペット洗浄ノズルを多数設けたペット全身の洗浄乾燥をするための洗浄乾燥室、洗浄のための温水を貯蔵する温水貯蔵タンク、温水循環配管と循環ポンプとエア抜きタンクから構成される循環洗浄設備、温風循環配管と送風機から構成される循環乾燥設備とを有するペット洗浄乾燥機において、ペット洗浄乾燥機に電力を供給する電源コンセントが、２以上の並列の一般家庭用１００Ｖ電源コンセントＶ１、Ｖ２…Ｖｎからなる電源コンセントであって、夫々の一般家庭用１００Ｖ電源コンセントの最大電流が許容ブレーカー電流２０Ａ以下となるように構成されたことを特徴とするペット洗浄乾燥機。
ここに、ｎは２以上の自然数である。
【選択図】          図１
【図１】
0003635646.tif 000006
【図２】
0003635646.tif 000007
【図３】
0003635646.tif 000008
【図４】
0003635646.tif 000009
【図５】
0003635646.tif 000010
【図６】
0003635646.tif 000011
【図７】
0003635646.tif 000012
【図８】
0003635646.tif 000013
【図９】
0003635646.tif 000014